(57)【要約】      （修正有）【課題】子供用の雨具であるポンチョに関し、特に自転車のハンドルに装着されるフロントチャイルドシートにおいて使用するポンチョを提供する。【解決手段】フロントチャイルドシートの下端から上端までのほぼ全体を覆う上下が開放された筒状でシート状の防水性を有する下部カバー１１とこの下部カバー１１の上側でかつ前側で連結され下部カバー１１の上部開口部を上方において閉じるためのシート状の防水性を上部カバー１０を開放してフロントチャイルドシートに子供を着座させて使用する際の自転車用フロントチャイルドシート用ポンチョＡであって、ポンチョ本体２の内側前部にポンチョ側前面ファスナー３、３Ａが、ポンチョ本体２の内側後部に後面ファスナーの設けられた留めベルトが縫製部で構成されることにより、前記上部カバー１０及び下部カバー１１に保持固定するための保持手段を設けた。【選択図】図５
0003183067.tif 000002
【実用新案登録請求の範囲】
【請求項１】
自転車のハンドルに装着されるフロントチャイルドシート（１７）の下端から上端までのほぼ全体を覆う上下が開放された筒状でシート状の防水性を有する下部カバー（１１）とこの下部カバー（１１）の上側でかつ前側で連結され下部カバー（１１）の上部開口部（１８）を上方において閉じるためのシート状の防水性を有する上部カバー（１０）を開放してフロントチャイルドシート（１７）に子供を着座させて使用する際の自転車用フロントチャイルドシート用ポンチョ（Ａ）であって、ポンチョ本体（２）の内側前部にポンチョ側前面ファスナー（３）、（３Ａ）が、ポンチョ本体（２）の内側後部に後面ファスナー（６）の設けられた留めベルト（４）が縫製部（５）で構成されることにより、前記上部カバー（１０）及び下部カバー（１１）に保持固定するための保持手段を設けていることを特徴とする自転車用フロントチャイルドシート用ポンチョ（Ａ）。
【請求項２】
前記保持手段が、上部カバー（１０）側に設けられた前面ファスナー（１２）、（１２Ａ）と下部カバー後面（１６）に設けられたベルト通し（１５）においてそれぞれポンチョ側前面ファスナー（３）、（３Ａ）と、ポンチョ側後面ファスナー（６）の設けられた留めベルト（４）によって保持固定させることを特徴とする請求項１記載の自転車用フロントチャイルドシート用ポンチョ（Ａ）。
【請求項３】
前記保持手段であるポンチョ側前面ファスナー（３）、（３Ａ）が、ホック又はボタンによって上部カバー（１０）に保持固定されることを特徴とする請求項１又は２に記載の自転車用フロントチャイルドシート用ポンチョ（Ａ）。
【考案の詳細な説明】
【技術分野】
【０００１】  本考案は、子供用の雨具であるポンチョに関し、特に自転車のハンドルに装着されるフロントチャイルドシートにおいて使用するポンチョに関するものである。
【背景技術】
【０００２】  従来、ポンチョとしては防水加工が施された着衣式雨具の一種として頭にフードが有り、顔だけを出すものが知られている。【０００３】  一方、従来のポンチョを子供に着用させて自転車用フロントチャイルドシートに着座させ使用するとポンチョから出ている足元等が雨に濡れてしまうことが有った。【０００４】  なお、自転車のハンドルに装着されるフロントチャイルドシートの下端から上端までのほぼ全体を覆う上下が開放された筒状でシート状の防水性を有する下部カバーとこの下部カバーの上側でかつ前側で連結された下部カバーの上部開口部を上方において閉じるためのシート状の防水性を有する上部カバーを開放してフロントチャイルドシートに子供を着座させて使用するフロントチャイルドシート用の防寒・防雨カバーが知られている。
【先行技術文献】
【０００５】
【先行技術文献１】
実用新案登録出願２００４年第００７７０６号
【考案の概要】
【考案が解決しようとする課題】
【０００６】  上記先行技術文献１に示された実用新案のカバーでは、チャイルドシートに子供を着座させて使用する場合において、上部カバーの閉塞部を着座している子供の首から下の前側上半身を覆うための前掛けとなる長さに設定し、該閉塞部に子供の首にまわして該閉塞部を子供に固定するための紐を備えさせて防寒・防雨用としていた。【０００７】  しかしながらこれでは雨や風、寒さ等が上部カバーと子供の間の隙間から簡単に入るという欠点が有った。【０００８】  又、装着にも手間がかかり、チャイルドシートから子供を降ろした際に雨等が降っていると傘等他の雨具が必要となる問題点も有った。【０００９】  もちろん、カッパやポンチョ等の市販のものを着用させて着座させることも可能であるが、その際も先のように上部カバーと雨具を着用した子供との間の隙間から雨や風、寒さ等が進入するという欠点が有った。
【問題を解決するための手段】
【００１０】  上記課題を解決するために本考案は、自転車のハンドルに装着されるフロントチャイルドシート（１７）の下端から上端までのほぼ全体を覆う上下が開放された筒状でシート状の防水性を有する下部カバー（１１）とこの下部カバー（１１）の上側でかつ前側で連結され下部カバー（１１）の上部開口部（１８）を上方において閉じるためのシート状の防水性を有する上部カバー（１０）を開放してフロントチャイルドシート（１７）に子供を着座させて使用する際の自転車用フロントチャイルドシート用ポンチョ（Ａ）であって、ポンチョ本体（２）の内側前部にポンチョ側前面ファスナー（３）、（３Ａ）が、ポンチョ本体（２）の内側後部に後面ファスナー（６）の設けられた留めベルト（４）が縫製部（５）で構成されることにより、前記上部カバー（１０）及び下部カバー（１１）に保持固定するための保持手段を設けていることを特徴としている。
【００１１】  更に、前記保持手段が、上部カバー（１０）側に設けられた前面ファスナー（１２）、（１２Ａ）と下部カバー後面（１６）に設けられたベルト通し（１５）においてそれぞれポンチョ側前面ファスナー（３）、（３Ａ）と、ポンチョ側後面ファスナー（６）の設けられた留めベルト（４）によって保持固定させることを特徴としている。
【００１２】  又、前記保持手段であるポンチョ側前面ファスナー（３）、（３Ａ）が、ホック又はボタンによって上部カバー（１０）に保持固定されることを特徴としている。
【考案の効果】
【００１３】  本考案の自転車用フロントチャイルドシート用ポンチョは、以上のような構成であるため、ポンチョを着用したまま着座させ、ポンチョ側前面ファスナーによって上部カバー側面ファスナーと簡単に装着出来、更に後面ファスナーの設けられた留めベルトも下部カバー後面に設けられたベルト通しに通して保持固定するだけなので簡単に脱着が出来るものとなる。
【００１４】  もちろん本考案の自転車用フロントチャイルドシート用ポンチョは、前記保持手段により上部カバー及び下部カバーの外側を覆う形となるため、雨や寒さ、風等の進入する隙間が無く装着出来る優れたものとなる。
【００１５】  又、雨等が降っている際に自転車から降りて着用していても市販の通常のポンチョと見栄えもほとんど変わらず同様に使用出来る優れたものとなる。
【図面の簡単な説明】
【００１６】
【図１】本考案の自転車用フロントチャイルドシート用ポンチョを前から見た前面図である。
【図２】本考案の自転車用フロントチャイルドシート用ポンチョを後から見た後面図である。
【図３】本考案の自転車用フロントチャイルドシート用ポンチョを装着する直前のハンドルに装着した自転車用フロントチャイルドシートに下部カバー及び上部カバーを取り付け、上部カバーの閉塞部を開放した状態を示す斜視図である。
【図４】ハンドルに装着する上部カバー及び下部カバーの背面図である。
【図５】本考案の自転車用フロントチャイルドシート用ポンチョを子供に着用させてハンドルに装着したフロントチャイルドシートに着座させ上部カバーと保持固定させた状態を示す斜視図である。
【図６】本考案の自転車用フロントチャイルドシート用ポンチョを子供に着用させてハンドルに装着したフロントチャイルドシートに着座させ下部カバーと保持固定させた状態を示す背面図である。
【考案を実施するための形態】
【００１７】  本考案における自転車用フロントチャイルドシート用ポンチョの大きさ、形状、デザイン、材質、製造方法等は特に限定されないが、防水性のあるシート状の大量生産の出来る縫製品が好ましい。
【実施例】
【００１８】  以下、本考案の一実施例を図１、図２、図３、図４、図５及び図６で説明するが、これによって本考案は何ら限定されるものではない。【００１９】  図１は、本考案の自転車用フロントチャイルドシート用ポンチョ（Ａ）を子供に着用させ、前から見た状態を示しており、フード（１）の開口部から子供の顔（Ｂ）が出ている。そして、ポンチョ側前面ファスナー（３）、（３Ａ）が複数個、縫製の手段によって一体化されている。もちろん接着剤によって一体化しても良い。又、その形状も矩形に限らず円形や多角形等としても良い。これらは自転車用フロントチャイルドシート用ポンチョ（Ａ）の内側に設けられている。【００２０】  図２は、本考案の図１の状態を後面から見た図を示し、ポンチョ本体（２）の内側後部にポンチョ側の後面ファスナー（６）の設けられた留めベルト（４）が縫製部（５）でほぼポンチョ本体（２）の中央に構成されている。この留めベルト（４）が、下部カバー後面（１６）に設けられたベルト通し（１５）に通されて前記後面ファスナー（１６）によりリング状となり保持固定されることとなる。【００２１】  図３は、考案の自転車用フロントチャイルドシート用ポンチョ（Ａ）を装着する直前のハンドルのグリップ（１４）及びグリップ（１４Ａ）の間に設置されたフロントチャイルドシート（１７）にゴム体（１３）を使用して下部カバー（１１）の下端開口部を閉じ、一方でこの下部カバー（１１）の上側でかつ前側で連結された下部カバー（１１）の上部開口部（１８）を上部カバー（１０）後側よりまるめて着座部を設けた状態を示しており、その際に本考案の自転車用フロントチャイルドシート用ポンチョ（Ａ）のポンチョ側前面ファスナー（３）、（３Ａ）と面ファスナーで保持固定出来るように上部カバー側面ファスナー（１２）、（１２Ａ）が上部カバー（１０）の上面に来るように位置決め設置しておく。【００２２】  図４は、本考案の自転車用フロントチャイルドシート用ポンチョ（Ａ）を装着する上部カバー（１０）及び下部カバー（１１）を背面から見た図を示し、下部カバー後面（１６）のほぼ中央にベルト通し（１５）が縫製の手段によって両サイド縫い付けられている。【００２３】  図５は、本考案の自転車用フロントチャイルドシート用ポンチョ（Ａ）を子供に着用させてハンドルのグリップ（１４）とグリップ（１４Ａ）の間に装着したフロントチャイルドシート（１７）に着座させ上部カバー（１０）に設けられた上部カバー側面ファスナー（１２）、（１２Ａ）とポンチョ側面ファスナー（３）、（３Ａ）によって保持固定されている状態を示しており、フード（１）を被った子供の顏（Ｂ）が見え、着座している状態がわかる。【００２４】  図６は、図５の状態を後面から見た図を示し、フード（１）を被った子供が着座しており、その際下部カバー後面（１６）のほぼ中央に設けられたベルト通し（１５）に自転車用フロントチャイルドシート用ポンチョ（Ａ）の内側に設けられた留めベルト（４）を通して後面ファスナー（１６）の手段によって保持固定され、自転車用フロントチャイルドシート用ポンチョ（Ａ）の裾が上部カバー（１０）及び下部カバー（１１）の外に広がっている状態がわかる。これによって雨���風、寒さ等が着座した際の開口部の子供との隙間から進入することのない優れたものになることがわかる。【００２５】  なお、本考案に係る保持手段であるポンチョ側前面ファスナー（３）、（３Ａ）及び上部カバー（１０）に設けられた上部カバー側面ファスナー（１２）、（１２Ａ）が面ファスナーではなく、ホック又はボタンの手段によって保持固定されても良いが、雨降り等の状況を鑑みると面ファスナーが操作性も良く簡便に用いられる。
【符号の説明】
【００２６】  Ａ  自転車用フロントチャイルドシート用ポンチョ
Ｂ  子供の顔
１  フード
２  ポンチョ本体
３、３Ａ  ポンチョ側前面ファスナー
４  留めベルト
５  縫製部
６  ポンチョ側後面ファスナー
１０  上部カバー
１１  下部カバー
１２、１２Ａ  上部カバー側面ファスナー
１３  ゴム体
１４、１４Ａ  グリップ（ハンドル部）
１５  ベルト通し
１６  下部カバー後面
１７  フロントチャイルドシート
１８  上部開口部
【図１】
0003183067.tif 000003
【図２】
0003183067.tif 000004
【図３】
0003183067.tif 000005
【図４】
0003183067.tif 000006
【図５】
0003183067.tif 000007
【図６】
0003183067.tif 000008